(57)【要約】【課題】多種多様なリードとマウスピースの組み合わせに適合し、３箇所または４箇所の接点でリードに当接してマウスピースに安定した状態に固定しながら、かつリードに当接して締め付ける前記の各接点の位置と締め付け圧力を自在に調整できるリガチャーを提供する。【解決手段】リガチャー３においてリードに接する面８に雌ねじ６を設けリガチャーに組み込まれたリードに当接するねじ５を装着し、前記のねじを回転させてリードに当接するねじの先端７を上下に可動させ接触状態を調整してリード２に当接した上でリード締め付けボルト４を回転して、リード２をマウスピース１に締め付けて固定する。また、リードに当接するねじの先端７にナット９を装着して、ナット９を回転させてナット９の先端を上下に可動して接触状態を調整してリード２に当接するものでもよい。【選択図】図４
2019159289.tif 000002
【特許請求の範囲】
【請求項１】
木管楽器におけるシングルリード楽器の、リードをマウスピースに固定するためのリガチャーであって、リガチャーのリード側に配されてなる板状の部材に、雌ねじを３箇所または４箇所設けて、前記の各雌ねじにねじの先端がリードに当接する状態に向けてねじを取り付け、前記の各ねじを回転させて、各ねじの先端を上下に可動することで、リードとの接点の接触状態を調整できる機能を有する、前記各ねじの先端でリードに当接して、リードを固定するリガチャー。
【請求項２】
前述記載のリガチャーに装着された各ねじの先端に、それぞれナットを装着して、前記のナットを回転させてナットの先端を上下に可動することで、リードとの接点の接触状態を調整できる機能を有する、前記各ナットの先端で、リードのリガチャーに接する面に当接してリードを固定することを特徴とする請求項１に記載のリガチャー。
【請求項３】
前述記載のリガチャーには、鉄、金、銀、洋白、銅、真鍮、チタン、プラチナ、アルミ、ステンレス、プラスチック樹脂、木の何れか１つまたはその合金を用いることを特徴とするもので、前記の素材の仕上げには、素地の研磨加工、メッキ加工、塗装を施したものの、いずれかを用いることを特徴とする請求項１または請求項２に記載のリガチャー。
【発明の詳細な説明】
【技術分野】
【０００１】  本発明は、木管楽器におけるシングルリード楽器のリードをマウスピースに固定するための器具であるリガチャーに関する。
【背景技術】
【０００２】  木管楽器におけるシングルリード楽器は、歌口において一枚の短冊状のリードの振動によりマウスピースで発音され、楽器本体に音が伝達される。【０００３】  歌口は、リードとマウスピースとリガチャーで構成されており、リードをマウスピースにリガチャーで締め付けて固定する。【０００４】  マウスピースにリガチャーで締め付けて固定されたリードは、演奏者から吹き込まれた息によってリードが振動してマウスピースにおいて発音される。前記のリードが振動する状態は、マウスピースでの発音に大きな影響を与え、楽器から発する音の大きさや音質を左右する。【０００５】  前述におけるリードが振動する状態は、リードをマウスピースに締め付けて固定するリガチャーの材質や形状また固定方法によって、リードが振動する状態に与える影響が大きいことは一般に知られている。【０００６】  リガチャーによるリードを固定するための当接方法には、リードに対して、面や線または点で当接して固定する。前記のリードを固定するための当接方法は、リガチャーの特性を位置づける要因の一つと考えられ、リードに接する面積が小さいほどリードの振動を阻害しないため、リードは効率の良い振動を生じることで大きな音量を得る反面、リードをマウスピースに固定する安定性は悪化する。【０００７】  リードを固定するためのリガチャーとの接点の位置や前記の接点におけるリードを固定するためにリードを押し付ける圧力によって、リードの振動状態に影響を及ぼしマウスピースでの発音に影響を与え、楽器から発する音の大きさや音質を左右する。【０００８】  リガチャーは、リードの振動を効率よく生じさせるようにリードをマウスピースに固定するためマウスピースにリードを適切に当接した状態での外径に合致した内径のリガチャーが求められることから、前記の外径を許容範囲とする内径に応じた種類のリガチャーが必要とされる。【０００９】  リガチャーは、形状や材質また仕上方法の違いによってリードの振動に変化を生じさせることで、異なる特色ある音量や音質を楽器から生じて、演奏者に提供している。【００１０】  演奏者は、所望の音を探求するため、独自にリードやマウスピースまたリガチャーを選択して組み合わせて用いることから、リードやマウスピースまたリガチャーの種類は多岐にわたり、リードとマウスピース及びリガチャーの組み合わせを選定することは難しくなっている。【０００１１】  リガチャーの発明については、特許文献１や特許文献２にみられるような、リードのエッジ部分にリガチャーが触れることがなく所望の音を出すことのできるリガチャーや、単一リードを有する管楽器において、平行な一組の、リードとの接触部分があり、マウスピースに対して２個以内の圧着部材によってのみ接触固定されるリガチャーなど、リードの振動による純粋な音を発音させることを目的とする発明もなされてきた。
【先行技術文献】
【０００１２】
【特許文献１】特許第４６９５２２５号公報
【特許文献２】特開平７−６４５４２  公開
【発明の概要】
【発明が解決しようとする課題】
【００１３】  本発明は、多種多様なリードとマウスピースの組み合わせにより形成される外径に対して広範な内径の許容範囲を提供して適合するリガチャーであって、リードの振動を阻害せず効率よく生じさせるため３箇所または４箇所の接点でリードに当接してマウスピースに安定した完全な状態に固定するリガチャーであり、かつ、リードに当接して締め付ける前記の各接点の位置と前記の各接点の締め付け圧力を自在に調整できるリガチャーを提供する。
【課題を解決するための手段】
【００１４】  本発明は、前述の課題を解決するために、リードに当接するリガチャーの接点を３箇所または４箇所設置する。前記の各接点には、ネジを取付けてネジの先端でリードのリガチャーに接する面を押し付けてリードを固定する。【００１５】  前述の各ねじは、リガチャーのリードに接する面であるリード側に配されてなる板状の部材に雌ねじを設けて、各ねじの先端がリードに当接する状態に向けて取付け、前記の各ねじを回転させて各ねじの先端を上下に可動することで各接点においてリードとの接点における接触状態を調整できることを特徴とする。【００１６】  本発明は、前述によって装着されたねじの先端にナットを装着して、前記のナットを回転させてナットの先端を上下に可動することでリードとの各接点における接触状態を調整するものでもよい。【００１７】  前述記載のねじ及びナットに用いる素材には、鉄、金、銀、洋白、銅、真鍮、チタン、プラチナ、アルミ、ステンレス、プラスチック樹脂、木の何れか１つまたはその合金を用いることを特徴とする。【００１８】  前述記載のねじ及びナットに用いる素材の仕上げには、素地の研磨加工やメッキ加工、また、塗装を施したもののいずれかを採用する。
【発明の効果】
【００１９】  本発明は、リードに当接するリガチャーの接点を３箇所または４箇所設置して、前記の各接点においてリードのリガチャーに接する面を押し付けて最小限の接点でリードを固定するため、リードの振動を阻害せず、効率の良い振動を生じさせ大きな音量を得られる効果を提供する。【００２０】  本発明は、リードに当接するリガチャーの接点を３箇所の接点または４箇所の接点を設置して、リードのリガチャーに接する面を押し付けてリードを固定するため、リードが各方向にずれることを防止してリードの安定性を保つ効果を提供する。【００２１】  本発明は、前述の各接点にねじを取付けて、ねじの先端でリードのリガチャーに接する面を押し付けてリードを固定する。前記の各ねじまたは各ナットを回転させてそれらの先端を上下に可動することでリードとの接点の距離を調整し、リードとマウスピースを組み合わせた外径に対するリガチャーの内径の対応領域を拡大することで、演奏者の選択するリードとマウスピースの組み合わせに幅広く対応するリガチャーを提供する。【００２２】  本発明における、前述のリードとマウスピースを組み合わせた外形に対するリガチャーの内径の対応領域を拡大することは、リガチャーのリードとの各接点の固定位置の領域を広げることも可能にし、演奏者が所望する楽器の音量と音質を得ることのできるリガチャーのリードとの各接点の固定位置に前記の各接点を調整して固定することを可能にする。【００２３】  本発明は、前述の固定位置において、リガチャーのリードに当接する接点を、リガチャーのリードに面する位置に組み込まれた各ねじまたは各ナットを回転させて上下に可動することで、リガチャーのリードに当接する各接点においてマウスピースに押し付ける圧力を調整して固定することを可能にし、演奏者の所望する楽器の音量と音質の変化を提供する。【００２４】  本発明における前述記載のねじ及びナットに用いる素材には、鉄、金、銀、洋白、銅、真鍮、チタン、プラチナ、アルミ、ステンレス、プラスチック樹脂、木の何れか１つまたはその合金を用いることで、素材の違いによる楽器の音量と音質の変化を提供する。【００２５】  本発明における前述記載のねじ及びナットに用いる素材の仕上げには、素地の研磨加工やメッキ加工、また、塗装を施したもののいずれかを採用することで、仕上げに応じた楽器の音量と音色の変化を提供する。
【図面の簡単な説明】
【００２６】
【図１】本発明を用いてリードをマウスピースに締め付けボルトで押し付けて固定するリガチャーの実施例を正面から見た平面図
【図２】本発明を用いてリードをマウスピースに締め付けボルトで押し付けて固定するリガチャーの実施例を側面から見た平面図
【図３】本発明を用いてリードとマウスピースを巻回したベルトの内径を収縮させて締め付けて固定した実施例を正面から見た平面図
【図４】本発明を用いてリードとマウスピースを巻回したベルトを引き上げて締め付けて固定した実施例を正面から見た平面図
【図５】本発明を用いてリードとマウスピースを巻回したリングをマウスピースのテーパーに押し込んで固定した実施例を正面から見た平面図
【発明を実施するための形態】
【００２７】  以下に図面を参照して、本発明を実施するための形態について例示的に詳しく説明する。ただし、以下の記載に示される構成要素は、あくまでも例示とし、本発明の技術範囲を例示の通り限定するものではない。
【００２８】  図１、図２を用いて、本発明の実施形態としての本発明の構成を説明する。図１は、本発明を用いてリードをマウスピースに締め付けボルトで押し付けて固定するリガチャーの実施例を正面から見た平面図である。図２は、本発明を用いてリードをマウスピースに締め付けボルトで押し付けて固定するリガチャーの実施例を側面から見た平面図である。
【００２９】  図１に示すように、リガチャー３が当接するリード２の背面は丸みを帯びている。リガチャーのリードに接する面８にリード２に向けて雌ねじ６を設け、リガチャーに組み込まれたリードに当接するねじ５を装着し、前記のねじを回転させてリードに当接するねじの先端７を上下に可動してリード２に当接する接触状態を調整して、リード２の丸みを帯びている背面を、４点で当接することで、前述した本発明の効果を得られる状態でリード２に当接し、さらにリガチャー３のリード締め付けボルト４を回転して、リード２をリードに当接するねじの先端７の各４箇所の接点で当接してマウスピース１に締め付けて固定する。
【００３０】  図１および図２に示す本発明は、リード２に当接するリガチャー３のリガチャーに組み込まれたリードに当接するねじ５のリードに当接するねじの先端７である接点を４箇所設置して、前記の各リードに当接するねじの先端７である接点においてリード２のリガチャーに接する面を押し付けてリード２を固定するため、リードを最小限の接点で安定して固定することができることによってリードの振動を阻害せず、効率の良い振動を生じさせ大きな音量を得られる効果を提供する。
【００３１】  図１および図２に示す本発明は、前述のとおりリード２に当接するリガチャーの接点を４箇所設置して、前記の各接点においてリード２のリガチャーに接する面を押し付けてリード２を固定するため、リード２が各方向にずれることを防止してリード２のマウスピース１への安定性を保つ効果を提供する。
【００３２】  図２に示すようにマウスピース１の形状は、一般にテーパー状であり、また前記の形状は製造元により異なることから、マウスピース１にリード２を組み合わせた外径に合致させて、リガチャー３でリード２を固定するためには、リガチャー３の種類は多岐にわたる。本発明は、図２に示すようにリード２に当接するリガチャー３に組み込まれたリードに当接するねじ５を回転させて高低の調整をすることで、リードに当接するねじの先端７において、４箇所設置された中の前後のリガチャーに組み込まれたリードに当接するねじ５の高低を変えてリード２に的確に４箇所の接点で当接して、さらにリード締め付けボルト４を回転して、リード２を４箇所の接点のリードに当接するねじの先端７でマウスピース１にリガチャー３に取り付けられているリード締め付けボルト４の締め付けによって固定する。本発明は、リガチャーに組み込まれたリードに当接するねじ５とリード締め付けボルト４の多重のねじの調整によってリガチャー３の内径を自在に４箇所の接点で調整できることから、多種のマウスピースに対応して、リードを固定することで演奏者の選択するリードとマウスピースの組み合わせに幅広く対応する内径の許容範囲を有するリガチャーを提供する。
【００３３】  図１および図２に示す本発明は、前述のリガチャー３に組み込まれたリードに当接するねじ５とリード締め付けボルト４の多重のねじの調整によってリガチャー３の内径を自在に４箇所の接点で調整できることによって、リガチャー３のリード２との各接点の固定位置の領域を広げることも可能にし、演奏者は、所望する楽器の音量と音質を得ることのできる前記の固定位置にリガチャーのリードとの各接点における接触状態を調整して固定することを可能にする。
【００３４】  図１および図２に示す本発明は、前述のリガチャー３のリード２との各接点における接触状態を調整して固定した状態で、リードに当接するねじの先端７をリガチャーに組み込まれたリードに当接するねじ５を回転させて高低を調整することで、リード２を締め付ける圧力をリガチャーに組み込まれたリードに当接するねじ５の回転によって自在に各接点における接触状態に調整できることから、演奏者の求める締め付け圧力でリードを固定して、演奏者の所望する音量と音質を提供する。
【００３５】  図１および図２に示す本発明は、図３、図４、図５の例示に示すとおりリードに当接するねじの先端７にナット９を取り付けることで、前記ナット９を回転させることによりリード２に当接する接点の高低を調整する操作を容易にし、前記の操作性を向上する。
【００３６】  図１および図２に示す本発明は、図３、図４、図５の例示に示すとおりリードに当接するねじの先端７にナット９を取り付けることで、リガチャーに組み込まれたリードに当接するねじ５とリード締め付けボルト４の多重のねじの調整に、さらに前記ナットを回転させ高低を変化することにより、各接点において前記ナットの可動範囲を加え、自在に各接点の高低の調整範囲を拡大することで、リガチャー３の内径の許容範囲を拡大することができる。
【００３７】  図３に示す例示は、リード２とマウスピース１を巻回したベルトの内径をリード締め付けボルト４を回転させて収縮させることでマウスピース１とリード２を締め付けて固定するリガチャー３に本発明を用いた実施例を正面から見た平面図である。図３に示す本発明は、リガチャー３においてリードに接する面８にリード２に向けて雌ねじ６を設け、リガチャーに組み込まれたリードに当接するねじ５を装着しリードに当接するねじの先端７にナット９を装着し、前記のナット９を回転させてリードに当接するナットの先端を上下に可動することで、前述した本発明の効果を得られる状態でリード２に当接し、さらにリガチャー３のリード締め付けボルト４を回転して、リガチャー３の内径を収縮させて、リード２を４箇所の接点であるナット９で当接してマウスピース１に締め付けて固定する。
【００３８】  図４に示す例示は、本発明を用いてリード２とマウスピース１を巻回したベルトをマウスピース１の上部に取り付けられたリード締め付けボルト４を回転させてマウスピース１を押し付けて前記のベルトを引き上げることでマウスピース１とリード２を締め付けて固定するリガチャー３に本発明を用いた実施例を正面から見た平面図である。リガチャー３においてリードに接する面８にリード２に向けて雌ねじ６を４箇所設け、リガチャーに組み込まれたリードに当接するねじ５を雌ねじ６に４箇所装着しリードに当接するねじの先端７にナット９を装着し、前記のナット９を回転させてリードに当接するナットの先端を上下に可動し接触状態を調整することで、前述した本発明の効果を得られる状態でリード２に当接し、さらにリガチャー３のリード締め付けボルト４を回転させてマウスピース１を巻回したベルトを引き上げることで、リード２を４箇所の接点であるナット９で当接してマウスピース１に締め付けて固定する。
【００３９】  図５に示す例示は、本発明を用いてリード２とマウスピース１を巻回したリングにリード２とマウスピース１を差し込んで固定する実施例を正面から見た平面図である。図５に示す本発明は、マウスピース１にリード２をセットした状態で形成されたテーパーを巻回したリングを形成するリガチャー３においてリードに接する面８に、リードの大きさに準じた金属板を配して、前記の金属板にリード２に向けて雌ねじ６を設け、リガチャーに組み込まれたリードに当接するねじ５を装着しリードに当接するねじの先端７にナット９を装着し、前記のナット９を回転させてリード２に当接するナット９の先端を上下に可動し接触状態を調整することで、前述した本発明の効果を得られる状態でリード２に当接するように、リード２とマウスピース１を巻回したリングにリード２とマウスピース１のテーパーにリングを形成するリガチャー３を差し込み押し付けて固定する。
【００４０】  図１および図２に示す本発明に用いるリガチャーに組み込まれたリードに当接するねじ５及びナット９の素材には、鉄、金、銀、洋白、銅、真鍮、チタン、プラチナ、アルミ、ステンレス、プラスチック樹脂、木の何れか１つまたはその合金を用いて、さらにメッキ加工などを施したものでも良い。発音する基になるリード２に当接する素材や仕上げを変えることで音量と音質の変化を提供する。
【産業上の利用可能性】
【００４１】  木管楽器におけるシングルリード楽器に用いることが可能である。
【符号の説明】
【００４２】    １  マウスピース
２  リード
３  リガチャー
４  リード締め付けボルト
５  リガチャーに組み込まれたリードに当接するネジ
６  雌ねじ
７  リードに当接するねじの先端
８  リガチャーのリードに接する面
９  ナット
【図１】
2019159289.tif 000003
【図２】
2019159289.tif 000004
【図３】
2019159289.tif 000005
【図４】
2019159289.tif 000006
【図５】
2019159289.tif 000007
【手続補正書】
【提出日】平成30年8月8日(2018.8.8)
【手続補正１】
【補正対象書類名】特許請求の範囲
【補正対象項目名】請求項１
【補正方法】変更
【補正の内容】
【請求項１】
木管楽器におけるシングルリード楽器の、リードをマウスピースに固定するためのリガチャーであって、リガチャーのリード側に配されてなる平板状の部材に、垂直に雌ねじを３箇所または４箇所設けて、前記の各雌ねじにねじの先端がリードに当接する状態に向けてねじを取り付け、前記の各ねじを回転させて、各ねじの先端を上下に可動することで、リードとの接点の接触状態を調整できる機能を有するとともに、前記各ねじの先端の角が接点となるようにリードに当接してリードを固定するリガチャー。
【手続補正２】
【補正対象書類名】特許請求の範囲
【補正対象項目名】請求項２
【補正方法】変更
【補正の内容】
【請求項２】
木管楽器におけるシングルリード楽器の、リードをマウスピースに固定するためのリガチャーであって、リガチャーのリード側に配されてなる平板状の部材に、垂直に雌ねじを３箇所または４箇所設けて、前記の各雌ねじにねじの先端がリードに当接する状態に向けてねじを取り付け、各ねじの先端に、それぞれナットを装着して、前記のナットを回転させてナットの先端を上下に可動することで、リードとの接点の接触状態を調整できる機能を有するとともに前記各ナットの先端の角が接点となるようにリードに当接してリードを固定するリガチャー。